(57)【特許請求の範囲】
【請求項１】
走行運動又は歩行運動の少なくとも何れか一方を含む利用者の移動運動中に運動用楽曲情報を再生する再生手段を備えた運動用楽曲情報再生装置において、
前記利用者が移動運動をしているかどうかを検知する移動検知手段と、
前記運動用楽曲情報、及び所定のテンポで再生されるリズム音情報を記憶する記憶手段と、
前記再生手段により前記運動用楽曲情報を再生中に、前記移動検知手段にて前記利用者が移動運動を停止したと判断した場合、前記運動用楽曲情報の再生を中止し、前記記憶手段に記憶された前記リズム音情報の再生を開始するよう制御する楽曲再生制御手段を備えたことを特徴とする運動用楽曲情報再生装置。
【請求項２】
前記運動用楽曲情報のテンポ情報を取得する楽曲テンポ情報取得手段をさらに備え、
前記楽曲再生制御手段は、前記楽曲テンポ情報取得手段により取得した前記テンポ情報と同じテンポの前記リズム音情報の再生を開始することを特徴とする請求項１に記載の運動用楽曲情報再生装置。
【請求項３】
前記リズム音情報の再生を開始後、前記移動検知手段により利用者が移動運動を開始したと判断した場合、
前記楽曲再生制御手段は、前記リズム音情報の再生を停止させ、前記運動用楽曲情報の再生を停止した位置から再開することを特徴とする請求項１乃至２のいずれか１項に記載の運動用楽曲情報再生装置。
【請求項４】
利用者の位置情報を取得する位置情報取得手段、又は利用者の移動加速度を検知する加速度検知手段をさらに備え、
前記移動検知手段は、前記位置情報取得手段により取得した前記位置情報の変化量、又は前記加速度検知手段により検知された前記移動加速度の変化量に基づいて、利用者が移動中かどうかを判断することを特徴とする請求項１乃至３のいずれか１項に記載の運動用楽曲情報再生装置。
【請求項５】
走行運動又は歩行運動の少なくとも何れか一方を含む利用者の移動運動中に運動用楽曲情報を再生する再生手段を備えた運動用楽曲情報再生装置において処理する運動用楽曲情報再生方法について、
前記利用者が移動運動をしているかどうかを検知する移動検知ステップと、
前記運動用楽曲情報、及び所定のテンポで再生されるリズム音情報を記憶する記憶ステップと、
前記再生手段により前記運動用楽曲情報を再生中に、前記移動検知ステップにて前記利用者が移動運動を停止したと判断した場合、前記運動用楽曲情報の再生を中止し、前記記憶ステップにて記憶された前記リズム音情報の再生を開始するよう制御する楽曲再生制御ステップ
を処理することを特徴とする運動用楽曲情報再生方法。
【請求項６】
走行運動又は歩行運動の少なくとも何れか一方を含む利用者の移動運動中に運動用楽曲情報を再生する再生手段を備えた運動用楽曲情報再生装置にて実行する運動用楽曲情報再生プログラムについて、
前記利用者が移動運動をしているかどうかを検知する移動検知ステップと、
前記運動用楽曲情報、及び所定のテンポで再生されるリズム音情報を記憶する記憶ステップと、
前記再生手段により前記運動用楽曲情報を再生中に、前記移動検知ステップにて前記利用者が移動運動を停止したと判断した場合、前記運動用楽曲情報の再生を中止し、前記記憶ステップにて記憶された前記リズム音情報の再生を開始するよう制御する楽曲再生制御ステップ
を前記運動用楽曲情報再生装置にて実行させることを特徴とする運動用楽曲情報再生プログラム。
【発明の詳細な説明】
【技術分野】
【０００１】
本発明は、複数の運動用楽曲情報とリズム音情報を記憶し、利用者の運動状況に合わせて運動用楽曲情報とリズム音情報を選択して再生することができる運動用楽曲情報再生装置、方法、及びプログラムの技術分野に関する。
【背景技術】
【０００２】
従来から、楽曲（音楽）を聴きながら、利用者は体操、ダンス、エアロビクスなどの運動を行うことが広く行われている。また、近年では、携帯型の楽曲再生プレーヤーが非常に小型化されたため、楽曲を聴きながら、ウォーキング、ジョギング、マラソンなどの屋外での移動運動を行うことが可能になっている。
【０００３】
また、運動を行っている時に、テンポを判断し辛い曲が再生されても、利用者はその曲に合わせて運動を行うとことが可能となる演奏装置が考案されている（特許文献１）。上記演奏装置では、演奏データの音楽テンポを取得し、さらに演奏データを再生している際の利用者の運動テンポを取得して、音楽テンポと運動テンポの差が所定値以上になったと判断した場合、演奏データの拍に合うガイド音を発生させるようになっている。また、利用者の運動が停止したことを検知した場合は、ガイド音を発生させないようになっている。
【先行技術文献】
【特許文献】
【０００４】
【特許文献１】特開２００８−２４２２８５号公報
【発明の概要】
【発明が解決しようとする課題】
【０００５】
しかしながら、利用者が上記演奏装置を携帯して街中をランニングする場合、利用者は信号待ちや、交通状態等の環境的条件によって、ランニングを停止することが必要になってくる。その様な状況になった場合、上記演奏装置では、利用者の運動が停止したと判断してしまい、ガイド音を停止させて演奏データのみはそのまま再生しているので、利用者は信号待ちでの周囲への注意を十分に払うことが困難になる。また、利用者の移動が停止している間でも、その場で足踏み運動を継続しようと思っても、ガイド音が停止しているので、テンポに合わせることができなくなるという問題がある。
【０００６】
そこで、本発明は、複数の運動用楽曲情報とリズム音情報を記憶し、利用者の運動状況に合わせて運動用楽曲情報とリズム音情報を選択して再生することができる運動用楽曲情報再生装置、運動用楽曲情報再生方法、及び運動用楽曲情報再生プログラムを提供することを目的とする。
【課題を解決するための手段】
【０００７】
上記課題を解決する為に、請求項１に記載の運動用楽曲情報再生装置は、走行運動又は歩行運動の少なくとも何れか一方を含む利用者の移動運動中に運動用楽曲情報を再生する再生手段を備えた運動用楽曲情報再生装置において、前記利用者が移動運動をしているかどうかを検知する移動検知手段と、前記運動用楽曲情報、及び所定のテンポで再生されるリズム音情報を記憶する記憶手段と、前記再生手段により前記運動用楽曲情報を再生中に、前記移動検知手段にて前記利用者が移動運動を停止したと判断した場合、前記運動用楽曲情報の再生を中止し、前記記憶手段に記憶された前記リズム音情報の再生を開始するよう制御する楽曲再生制御手段を備えたことを特徴とする。
【０００８】
請求項２に記載の運動用楽曲情報再生装置では、請求項１に記載の構成に加え、前記運動用楽曲情報のテンポ情報を取得する楽曲テンポ情報取得手段をさらに備え、前記楽曲再生制御手段は、前記楽曲テンポ情報取得手段により取得した前記テンポ情報と同じテンポの前記リズム音情報の再生を開始することを特徴とする。
【０００９】
請求項３に記載の運動用楽曲情報再生装置では、請求項１乃至２のいずれか１項に記載の構成に加え、前記リズム音情報の再生を開始後、前記移動検知手段により利用者が移動運動を開始したと判断した場合、前記楽曲再生制御手段は、前記リズム音情報の再生を停止させ、前記運動用楽曲情報の再生を停止した位置から再開することを特徴とする。
【００１０】
請求項４に記載の運動用楽曲情報再生装置では、請求項１乃至３のいずれか１項に記載の構成に加え、利用者の位置情報を取得する位置情報取得手段、又は利用者の移動加速度を検知する加速度検知手段をさらに備え、前記移動検知手段は、前記位置情報取得手段により取得した前記位置情報の変化量、又は前記加速度検知手段により検知された前記移動加速度の変化量に基づいて、利用者が移動中かどうかを判断することを特徴とする。
【００１１】
請求項５に記載の運動用楽曲情報再生方法は、走行運動又は歩行運動の少なくとも何れか一方を含む利用者の移動運動中に運動用楽曲情報を再生する再生手段を備えた運動用楽曲情報再生装置において処理する運動用楽曲情報再生方法であって、前記利用者が移動運動をしているかどうかを検知する移動検知ステップと、前記運動用楽曲情報、及び所定のテンポで再生されるリズム音情報を記憶する記憶ステップと、前記再生手段により前記運動用楽曲情報を再生中に、前記移動検知ステップにて前記利用者が移動運動を停止したと判断した場合、前記運動用楽曲情報の再生を中止し、前記記憶ステップにて記憶された前記リズム音情報の再生を開始するよう制御する楽曲再生制御ステップを処理することを特徴とする。
【００１２】
請求項６に記載の運動用楽曲情報再生プログラムは、走行運動又は歩行運動の少なくとも何れか一方を含む利用者の移動運動中に運動用楽曲情報を再生する再生手段を備えた運動用楽曲情報再生装置にて実行する運動用楽曲情報再生プログラムであって、前記利用者が移動運動をしているかどうかを検知する移動検知ステップと、前記運動用楽曲情報、及び所定のテンポで再生されるリズム音情報を記憶する記憶ステップと、前記再生手段により前記運動用楽曲情報を再生中に、前記移動検知ステップにて前記利用者が移動運動を停止したと判断した場合、前記運動用楽曲情報の再生を中止し、前記記憶ステップにて記憶された前記リズム音情報の再生を開始するよう制御する楽曲再生制御ステップをコンピュータに実行させることを特徴とする。
【発明の効果】
【００１３】
請求項１に記載の運動用楽曲情報再生装置は、走行運動又は歩行運動の少なくとも何れか一方を含む利用者の移動運動中に運動用楽曲情報を再生する再生手段を備える。そして利用者が移動運動をしているかどうかを検知する。また、運動用楽曲情報、及び所定のテンポで再生されるリズム音情報を記憶する。再生手段により運動用楽曲情報を再生中に、利用者が移動運動を停止したと判断した場合、運動用楽曲情報の再生を中止し、記憶されたリズム音情報の再生を開始するよう制御する。よって、移動運動をしている利用者が、街中の交通状態等の理由により一旦停止した場合、それまで再生されていた運動用楽曲の再生を停止させ、代わりに所定テンポのリズム音が再生されるので、周囲の状況に注意を払いながらも、所定テンポのリズムで足踏み運動を継続することができるようになる。
【００１４】
請求項２に記載の運動用楽曲情報再生装置では、請求項１に記載の構成の効果に加え、運動用楽曲情報のテンポ情報を取得し、取得したテンポ情報と同じテンポのリズム音情報の再生を開始する。よって、移動運動をしている利用者は、それまで再生されていた運動用楽曲情報の再生を停止した場合、代わりに運動用楽曲情報と同じテンポのリズム音が再生されるので、周囲の状況に注意を払いながらも、それまでと同じテンポのリズムで足踏み運動を継続することができるようになる。
【００１５】
請求項３に記載の運動用楽曲情報再生装置では、請求項１乃至２のいずれか１項に記載の構成の効果に加え、リズム音情報の再生を開始後、利用者が移動運動を開始したと判断した場合、リズム音情報の再生を停止させ、運動用楽曲情報の再生を停止した位置から再開する。よって、移動運動をしている利用者は、一旦停止後に運動を再開する場合、停止前までに再生されていた運動用楽曲情報の停止位置の続きから再生することができるので、中途半端な再生の重複や、曲飛び等の無駄な再生が無く、効率的に運動用楽曲情報の再生をすることができる。
【００１６】
請求項４に記載の運動用楽曲情報再生装置では、請求項１乃至３のいずれか１項に記載の構成の効果に加え、利用者の位置情報を取得、又は利用者の移動加速度を検知する。そして取得した位置情報の変化量、又は検知された移動加速度の変化量に基づいて、利用者が移動中かどうかを判断する。よって、利用者が移動運動をしているのか、停止しているのかを的確に判断することができるようになる。
【００１７】
請求項５に記載の運動用楽曲情報再生方法は、走行運動又は歩行運動の少なくとも何れか一方を含む利用者の移動運動中に運動用楽曲情報を再生する。そして利用者が移動運動をしているかどうかを検知する。また、運動用楽曲情報、及び所定のテンポで再生されるリズム音情報を記憶する。再生手段により運動用楽曲情報を再生中に、利用者が移動運動を停止したと判断した場合、運動用楽曲情報の再生を中止し、記憶されたリズム音情報の再生を開始するよう制御する。よって、移動運動をしている利用者が、街中の交通状態等の理由により一旦停止した場合、それまで再生されていた運動用楽曲の再生を停止させ、代わりに所定テンポのリズム音が再生されるので、周囲の状況に注意を払いながらも、所定テンポのリズムで足踏み運動を継続することができるようになる。
【００１８】
請求項６に記載の運動用楽曲情報再生プログラムは、走行運動又は歩行運動の少なくとも何れか一方を含む利用者の移動運動中に運動用楽曲情報を再生する。そして利用者が移動運動をしているかどうかを検知する。また、運動用楽曲情報、及び所定のテンポで再生されるリズム音情報を記憶する。再生手段により運動用楽曲情報を再生中に、利用者が移動運動を停止したと判断した場合、運動用楽曲情報の再生を中止し、記憶されたリズム音情報の再生を開始するよう制御する。よって、移動運動をしている利用者が、街中の交通状態等の理由により一旦停止した場合、それまで再生されていた運動用楽曲の再生を停止させ、代わりに所定テンポのリズム音が再生されるので、周囲の状況に注意を払いながらも、所定テンポのリズムで足踏み運動を継続することができるようになる。
【図面の簡単な説明】
【００１９】
【図１】運動用楽曲情報配信システムの概略構成図である。
【図２】運動用楽曲情報再生装置１０、運動用楽曲情報配信装置２０の電気的構成図である。
【図３】フラッシュＲＯＭ１４の説明図である。
【図４】運動用楽曲情報配信装置２０で実行されるソフトウエア概略説明図である。
【図５】運動用楽曲情報データベース１４１１の説明図である。
【図６】リズム音情報データベース１４２１の説明図である。
【図７】運動用楽曲情報再生装置１０で実行されるメイン処理のフローチャート説明図である。
【図８】運動用楽曲情報再生装置１０で実行される走行状態判別処理のフローチャート説明図である。
【図９】運動用楽曲情報再生装置１０で実行される走行状態判別処理２のフローチャート説明図である。
【発明を実施するための形態】
【００２０】
以下、本発明を具体化した運動用楽曲情報配信システムの実施の形態について、図面を参照して説明する。なお、これらの図面は、本発明が採用しうる技術的特徴を説明するために用いられるものであり、記載されている装置の構成、各種処理のフローチャートなどは、それのみに限定する趣旨ではなく、単なる説明例である。
【００２１】
まず、図１〜図２を参照して、本実施形態の運動用楽曲情報配信システム１（以下、楽曲配信システム１と記す）の概略構成、電気的構成について、順に説明する。
【００２２】
図１に示すように、楽曲配信システム１は、配信装置の一例としての運動用楽曲情報配信装置２０（以下、楽曲配信装置２０と記す）と、端末装置の一例としての複数の運動用楽曲情報再生装置１０（以下、楽曲再生装置１０と記す）と、を含んで構成されている。
【００２３】
楽曲配信装置２０と楽曲再生装置１０とは、通信回線２を介して、例えば、通信プロトコルにＴＣＰ／ＩＰ（Transmission Control Protocol/Internet Protocol）等を用いて
相互にデータの送受信が可能である。なお、通信回線２は、例えば、インターネット、専用通信回線（例えば、ＣＡＴＶ（Community Antenna Television）回線）、移動体通信網（基地局等を含む）、及びゲートウェイ等により構築されている。
【００２４】
このような構成の楽曲配信システム１において、楽曲配信装置２０は、楽曲再生装置１０からの要求等に応じ、聴取用楽曲の一例として、利用者がジョギングしている最中に聴く楽曲のデータである運動用楽曲情報を作成し、この運動用楽曲情報を楽曲再生装置１０に送信する。本実施形態では、楽曲再生装置１０からの要求に、楽曲のテンポ情報や、楽曲のジャンル（ＰＯＰＳ、ＪＡＺＺ、ロック、演歌等）を識別する種別情報も含ませることができるようになっている。そして、運動する利用者は、その運動に適した運動用楽曲情報を楽曲配信装置２０から受信して再生させることにより、運動用楽曲を聴きながらジョギング等の運動を行う。
【００２５】
次に図２を参照して、楽曲配信システム１の楽曲再生装置１０と楽曲配信装置２０の電気的構成について説明する。本実施形態の楽曲再生装置１０は、図２に示す様に、ＣＰＵ１１、ＲＯＭ１２、ＲＡＭ１３、フラッシュＲＯＭ１４と、表示モニタ１５、操作入力手段１６、位置情報検出手段１７、第１通信手段１８、再生手段１９を備えており、これらはすべてバスで相互に接続されている。
【００２６】
ＣＰＵ１１は、楽曲再生装置１０全体の制御を司る。ＲＯＭ１２は、楽曲再生装置１０の基本的な動作に必要なプログラムや、そのための設定値等を記憶している。ＣＰＵ１１は、ＲＯＭ１２に記憶されたプログラムに従って、楽曲再生装置１０の動作を制御する。ＲＡＭ１３は、各種データを一時的に記憶するための記憶装置である。また、フラッシュＲＯＭ１４は、不揮発性の半導体メモリであり、楽曲情報を記憶するための各種記憶エリアを備えている。
【００２７】
表示モニタ１５は、例えば液晶表示装置や有機ＥＬディスプレイなどの表示機器である。表示モニタ１５は、入力信号に従って画像や文字等を表示画面に表示する機器であり、利用者が楽曲再生装置１０の各種入力操作を行うためのアイコン等を表示する操作画面や、画像データ等を表示する。また、操作入力手段１６は、例えば表示モニタ１５に重ねて配置されるようなタッチパネル機器であり、汎用的に用いられている抵抗膜方式、静電容量方式、超音波表面弾性波方式、赤外線遮光方式などの何れかの方式で、利用者の指によるタッチ入力を検出する機器である。よって、利用者が表示モニタ１５に表示されたアイコン等をタッチ入力すると、操作入力手段１６はタッチ入力された位置の座標情報を取得し、対応する位置に表示されているアイコンの機能への操作を受け付けることができるようになっている。
【００２８】
位置情報検出手段１７は、図示は省略するが筐体内に備えられており、楽曲再生装置１０を所持している利用者の地理的な位置情報を検出する機器である。具体的には、例えば汎用的なセンサとして使用されている、ＧＰＳセンサ（Global Positioning System）等
を用いれば良いが、これに限るものではない。
【００２９】
第１通信手段１８は、通信回線２を介して楽曲配信装置２０と要求信号や、楽曲情報を無線で通信を行う機器であり、汎用的な携帯電話機やモバイルＰＣ等で用いられているような無線通信機器を用いれば良い。また、再生手段１９は、フラッシュＲＯＭ１４に記憶されている運動用楽曲情報やリズム音情報を、運動している利用者へ聞こえるように再生する機器であり、汎用的なスピーカ機器や、イヤホンを介して楽曲情報を再生する機器である。
【００３０】
次に、図２に示す楽曲配信装置２０は、ＣＰＵ２１、ＲＯＭ２２、ＲＡＭ２３、記憶手段２５と、第２通信手段２４を備えており、これらはすべてバスで相互に接続されている。ＣＰＵ２１は、楽曲配信装置２０全体の制御を司る。ＲＯＭ２２は、楽曲配信装置２０の基本的な動作に必要なプログラムやそのための設定値等を記憶している。ＣＰＵ２１は、ＲＯＭ２２に記憶されたプログラムに従って、楽曲配信装置２０の動作を制御する。ＲＡＭ２３は、各種データを一時的に記憶するための記憶装置である。また、記憶手段２５は、後述する各種楽曲情報に関連する情報が記憶されている。第２通信手段２４は、通信回線２を介して楽曲再生装置１０と要求信号や、楽曲情報を無線で通信を行う機器であり、汎用的な携帯電話機やモバイルＰＣ等との間で用いられている様な無線通信機器を用いれば良い。
【００３１】
次に図３を参照して、フラッシュＲＯＭ１４の構成について説明する。フラッシュＲＯＭ１４は、楽曲情報記憶エリア１４１、リズム音情報記憶エリア１４２、操作入力情報記憶エリア１４３等を含む複数の各種記憶エリアで構成されている。楽曲情報記憶エリア１４１には、楽曲配信装置２０から取得した運動用の楽曲情報が、後述する運動用楽曲情報データベース１４１１として記憶されている。リズム音情報記憶エリア１４２には、後述するリズム音情報データベース１４２１が記憶されている。操作入力情報記憶エリア１４３には、図示は省略するが、楽曲再生装置１０から取得する楽曲情報のテンポ情報や種別情報等の情報が記憶されている。ここでのテンポ情報とは、一般的なＢＰＭ単位で表わされる情報であり、１分間に打つビート数を数値で示した情報である。また、種別情報は、利用者の選択操作により入力された楽曲情報のジャンルであるＰＯＰＳ、ＪＡＺＺ、ロック、演歌等の情報である。
【００３２】
次に、図４を参照しながら、楽曲配信装置２０の記憶手段２５に記憶されるデータ及びプログラムのソフトウエア構成について説明をする。
【００３３】
記憶手段２５には、運動用楽曲情報を構成するパーツとなる楽曲本体ＭＩＤＩデータ３００、ドラムベースＷＡＶ（Ｗａｖｅｆｏｒｍ  Ａｕｄｉｏ  Ｆｏｒｍａｔ）データ３０１、楽曲本体ＷＡＶパーツデータ書き出しプログラム３０２、楽曲本体ＷＡＶパーツデータ３０３が記憶されている。楽曲本体ＭＩＤＩデータ３００は、楽曲本体ＷＡＶパーツデータ３０３の原曲が記録されたＭＩＤＩ（Musical Instrument Digital Interface）フォーマットのデータであり、その原曲におけるドラムベースＷＡＶデータ３０１に相当するドラムベースパートを除いたパート（すなわち、ギターパート又はボーカルパート等のメロディパート）に相当するＭＩＤＩフォーマットデータである。ドラムベースＷＡＶデータ３０１は、ドラムやシンバル等によるリズム音等が記録されたＷＡＶデータであり、楽曲本体ＭＩＤＩデータ３００の原曲を運動用にアレンジするために用いられるデータである。
【００３４】
楽曲本体ＷＡＶパーツデータ３０３は、運動用の楽曲を構成する主要的な部分である楽曲本体のＷＡＶデータであり、全てのデータが同一のテンポ（本実施形態においては、例えば１４０ＢＰＭ（Beats Per Minute））で記録されている。そして、楽曲本体ＷＡＶパーツデータ３０３は、図３に示す楽曲本体ＭＩＤＩデータ３００とドラムベースＷＡＶデータ３０１とに基づき、楽曲本体ＷＡＶパーツデータ書き出しプログラム３０２を用いて、テンポが調整されて作成される。なお、楽曲本体ＷＡＶパーツデータ書き出しプログラム３０２は、楽曲配信装置２０にインストールされて、ＣＰＵ２１により実行されるようにしても良いし、他の情報処理装置にインストールされて、当該装置上で実行されるようにしても良い。
【００３５】
更にまた、記憶手段２５には、図４に示すパーツＷＡＶデータデータベースプログラム３０６、サーバシステムプログラム３０５、ＷＥＢサイトプログラム３０４等が記憶されている。パーツＷＡＶデータデータベースプログラム３０６は、楽曲配信装置２０のＣＰＵ２１がパーツＷＡＶデータデータベースを管理するためのプログラムであり、各パーツデータの登録要求に応じて、パーツデータを当該データベースに登録したり、サーバシステムプログラム３０５から要求されたパーツデータを当該データベースから取得して、サーバシステムプログラム３０５に渡すためのプログラムである。
【００３６】
サーバシステムプログラム３０５は、楽曲配信装置２０のＣＰＵ２１が、パーツＷＡＶデータデータベースから取得されたパーツデータを用いて、運動用楽曲情報を作成するためのプログラムである。ＷＥＢサイトプログラム３０４は、楽曲配信装置２０のＣＰＵ２１が、楽曲再生装置１０を介して、本実施形態の様な運動用楽曲情報の配信設定等を受け付けるためのＷＥＢサイトを実行させるプログラムである。
【００３７】
次に、図５、６を参照しながら、本実施形態での楽曲再生装置１０のフラッシュロム１４に記憶されている運動用楽曲情報データベース１４１１（以下、楽曲情報ＤＢ１４１１と記す）とリズム音情報データベース１４２１（以下、リズム音情報ＤＢ１４２１と記す）について説明をする。図５に示す楽曲情報ＤＢ１４１１は、楽曲配信装置２０から通信回線を介して取得した運動用楽曲情報のデータベースであり、楽曲情報記憶エリア１４１（図３）に記憶されている。楽曲情報ＤＢ１４１１は、楽曲識別情報、取得日時、テンポが対応付けて記憶される。楽曲識別情報の項目には、楽曲情報を識別するための情報であり、例えば楽曲配信装置２０から配信された際のファイル名等を用いるものとする。また、取得日時の項目には、楽曲配信装置２０から配信された日時情報が記憶されている。テンポの項目には、その楽曲情報のテンポの情報が、ＢＰＭの単位にて数値で記憶されている。
【００３８】
また、図６に示すリズム音情報ＤＢ１４２１は、楽曲配信装置２０や、ＰＣ等から取得したリズム音情報のデータベースであり、リズム音情報記憶エリア１４２（図３）に記憶されている。本実施形態でのリズム音情報とは、ＢＰＭ単位で表わされる所定のテンポで、アラーム音が繰り返し再生されるように構成されている情報である。また、リズム音情報ＤＢ１４２１には、異なるテンポに対応したリズム音情報が複数記憶されている。
【００３９】
次に、図７を参照しながら、楽曲再生装置１０において実行されるメイン処理について説明する。図７に示すメイン処理は、ＲＯＭ１２に記憶されたプログラムに従って、ＣＰＵ１１が実行する処理である。まず初めに、ＣＰＵ１１は、運動用楽曲情報の再生を開始する指示を受け付ける（Ｓ１０１）。ステップＳ１０１の処理では、図示は省略するが、利用者が運動をする際に表示モニタ１５を見ながら、所望の運動用楽曲情報を選択し、再生指示を行う。ステップＳ１０１の処理を実行することにより、利用者は選択した運動用楽曲情報を聞きながら運動を行うことができる。
【００４０】
次に、ＣＰＵ１１は、運動用楽曲情報の再生終了指示が有るかどうかを判断する（Ｓ１０２）。ステップＳ１０２の処理では、利用者が運動用楽曲情報の再生終了指示を、操作入力手段１６を介して実行したかどうかを判断する。ステップＳ１０２の処理で、ＣＰＵ１１は、終了指示が無いと判断した場合（Ｓ１０２：ＮＯ）、次に走行状態判定処理を実行する（Ｓ１０４）。
【００４１】
ここで、図８を参照しながら走行状態判定処理について説明をする。まず初めにＣＰＵ１１は、現在の位置情報を取得する（Ｓ２０１）。ステップＳ２０１の処理では、ＧＰＳセンサ等の位置情報検出手段１７が、運動用楽曲情報再生装置１０を所持している利用者の、地理的な位置情報を取得する。具体的には、位置情報検出手段１７が、所定の衛星機器から緯度情報、経度情報を取得し、地図データと対応して現在位置を検出できるようになっている。
【００４２】
次にＣＰＵ１１は、前回取得した位置情報との距離の差を計算する処理を実行する（Ｓ２０２）。そして、ＣＰＵ１１は、ステップＳ２０２の処理で計算した距離の差が、所定値以下かどうかを判断する（Ｓ２０３）。ステップＳ２０３の処理での所定値とは、例えば位置情報検出手段１７の検出誤差が１ｍ以内であるとすると、所定値は１ｍとして設定するのが望ましいが、これに限るものではない。
【００４３】
ステップＳ２０３の処理で、ＣＰＵ１１は、距離の差が所定値以上であると判断した場合（Ｓ２０３：ＹＥＳ）、走行中であると判定する処理を行い（Ｓ２０５）、本処理を終了する。ステップＳ２０５の処理にて具体的には、走行中である旨の情報を、ＲＡＭ１３に記憶するようになっている。また、ステップＳ２０３の処理で、ＣＰＵ１１は、距離の差が所定値以下であると判断した場合（Ｓ２０３：ＮＯ）、走行停止中であると判定する処理を行い（Ｓ２０４）、本処理を終了する。ステップＳ２０４の処理にて具体的には、走行停止中である旨の情報を、ＲＡＭ１３に記憶するようになっている。
【００４４】
図７のメイン処理の説明に戻り、ステップＳ１０４の処理の後、ＣＰＵ１１は、利用者が走行中かどうかを判断する（Ｓ１０５）。具体的には、ステップＳ１０５の処理では、直前にステップＳ２０４の処理で走行停止中の旨の情報が記憶されたか、ステップＳ２０５の処理で走行中である旨の情報が記憶されたかを判断する。そして、ステップＳ１０５の処理で、ＣＰＵ１１は、走行中ではないと判断した場合（Ｓ１０５：ＮＯ）、次に運動用楽曲情報を再生中かどうかを判断する（Ｓ１０９）。ステップＳ１０９の処理で、ＣＰＵ１１は運動用楽曲情報を再生中であると判断した場合（Ｓ１０９：ＹＥＳ）、運動用楽曲情報の再生を停止する（Ｓ１１０）。また、ステップＳ１１０で停止した運動用楽曲情報の停止位置を記憶しておく。そして、ＣＰＵ１１は、ステップＳ１１０にて再生を停止した運動用楽曲情報のテンポ情報を楽曲情報ＤＢ１４１１から取得し、取得したテンポ情報と同じテンポ情報のリズム音情報を、リズム音情報ＤＢ１４２１から選択して再生し、（Ｓ１１１）、図７のＡの位置まで処理を移行させる。
【００４５】
また、ステップＳ１０５の処理で、ＣＰＵ１１は、走行中であると判断した場合（Ｓ１０５：ＹＥＳ）、次にリズム音情報を再生中かどうか判断する（Ｓ１０６）。ステップＳ１０６の処理で、ＣＰＵ１１は、リズム音情報を再生中であると判断した場合（Ｓ１０６：ＹＥＳ）、次にリズム音情報の再生を停止する（Ｓ１０７）。そして、ＣＰＵ１１は、運動用楽曲情報の再生を、停止した位置から再生を再開させ（Ｓ１０８）、図７のＡの位置まで処理を移行させる。
【００４６】
また、ステップＳ１０９の処理で、ＣＰＵ１１は、運動用楽曲情報を再生中では無いと判断した場合（Ｓ１０９：ＮＯ）、もしくは、ステップＳ１０６の処理でリズム音情報を再生してないと判断した場合も、図７のＡの位置まで処理を移行させる。  
【００４７】
また、ステップＳ１０２の処理で、ＣＰＵ１１は、運動用楽曲情報の再生終了指示が有ったと判断した場合は（Ｓ１０２：ＹＥＳ）、運動用楽曲情報の再生を停止し（Ｓ１０３）、本処理を終了する。
【００４８】
したがって、上述した本実施形態のメイン処理（図７）を実行することにより、移動運動をしている利用者が、街中の交通状態等の理由により一旦停止した場合、それまで再生されていた運動用楽曲の再生を停止させ、代わりに所定テンポのリズム音が再生されるので、周囲の状況に注意を払いながらも、所定テンポのリズムで足踏み運動を継続することができるようになる。さらに移動運動をしている利用者は、それまで再生されていた運動用楽曲情報の再生を停止した場合、代わりに運動用楽曲と同じテンポのリズム音が再生されるので、周囲の状況に注意を払いながらも、それまでと同じテンポのリズムで足踏み運動を継続することができるようになる。また、一旦停止後に運動を再開する場合、停止前までに再生されていた運動用楽曲情報の停止位置の続きから再生することができるので、中途半端な再生の重複や、曲飛び等の無駄な再生が無く、効率的に運動用楽曲情報の再生をすることができる。
【００４９】
なお、上述で説明した本実施形態に示される構成や処理は例示であり、各種の変形が可能なことは言うまでもない。例えば、図７のステップＳ１０４の処理の走行状態判別処理について、ＧＰＳセンサを用いた場合の実施形態を、図８を用いて説明したが、これに限るものでは無い。そこで、変形例として図９を参照にして、ＧＰＳセンサの代わりに、加速度センサを用いた場合の走行状態判別処理２について説明をする。
【００５０】
まず、初めに、ＣＰＵ１１は、加速度を計測する（Ｓ３０１）。具体的には、加速度センサで検出される加速度を、重力方向と水平方向の各ベクトルに分解して検出する。次にＣＰＵ１１は、走行方向の加速度が所定値以下かどうかを判断する（Ｓ３０２）。ステップＳ３０２の処理では、走行方向の加速度として水平方向の加速度を参照して、所定値以下かどうかを判断するようになっている。前述の所定値については、例えば使用者の平均歩行速度を時速５ｋｍとすると、その半分の速度に対応する加速度（約０．０７Ｇ）を所定値とするようにしてもよいが、これに限るものではない。そして、ステップＳ３０２の処理で、ＣＰＵ１１は、走行方向の加速度が所定値以上であると判断した場合（Ｓ３０２：ＮＯ）、走行中であると判定する処理を行い（Ｓ３０４）、本処理を終了する。ステップＳ３０４の処理にて具体的には、走行中である旨の情報を、ＲＡＭ１３に記憶するようになっている。また、ステップＳ３０２の処理で、ＣＰＵ１１は、走行方向の加速度が所定値以下であると判断した場合（Ｓ３０２：ＹＥＳ）、走行停止中であると判定する処理を行い（Ｓ３０３）、本処理を終了する。ステップＳ３０３の処理にて具体的には、走行停止中である旨の情報を、ＲＡＭ１３に記憶するようになっている。
【符号の説明】
【００５１】
１０  運動用楽曲情報再生装置
１４１１  楽曲情報記憶エリア１４１に記憶される運動用楽曲情報データベース
１４２１  リズム音情報記憶エリア１４２に記憶されるリズム音情報データベース
２０  運動用楽曲情報配信装置
【図１】
0005392286.tif 000002
【図２】
0005392286.tif 000003
【図３】
0005392286.tif 000004
【図４】
0005392286.tif 000005
【図５】
0005392286.tif 000006
【図６】
0005392286.tif 000007
【図７】
0005392286.tif 000008
【図８】
0005392286.tif 000009
【図９】
0005392286.tif 000010